(57)【特許請求の範囲】
【請求項１】
被覆電線の被覆を除去して現れた芯線を長手方向両側から挿入される金属製スリーブ本体と、その金属製スリーブ本体の外周を覆う被覆部及びその被覆部から軸方向両側に延長された突出部を一体に有する筒状の絶縁カバーとからなり、前記絶縁カバーの外側から圧縮力を加えられて、前記両側の被覆電線を接続する絶縁カバー被覆型圧縮スリーブにおいて、
前記突出部は、
前記電線被覆の外径よりも大きい内径を有し、
その内周面に条溝を有し、
前記被覆電線の被覆が除去されていない部分を挿通され、
圧縮スリーブを圧縮するダイスにより圧縮されて前記被覆電線の被覆と固着されるものである、
ことを特徴とする絶縁カバー被覆型圧縮スリーブ。
【請求項２】
条溝は、螺旋状に形成されていることを特徴とする請求項１記載の絶縁カバー被覆型圧縮スリーブ。
【請求項３】
突出部の内周は、スリーブ本体側よりも外側の方が内径が大きいラッパ状に形成されていることを特徴とする請求項１又は２記載の絶縁カバー被覆型圧縮スリーブ。
【発明の詳細な説明】
【０００１】
【発明の属する技術分野】
本発明は、被覆電線の接続に用いられる絶縁カバー被覆型圧縮スリーブに関する。
【０００２】
【従来の技術】
従来、この種の絶縁カバー被覆型圧縮スリーブ（以下、「圧縮スリーブ」という）は、接続する被覆電線（以下、「電線」という）の芯線の材質と同種の銅製やアルミニウム製等の電気導体からなる金属製スリーブ本体（以下、「スリーブ本体」という）と、そのスリーブ本体の外周を覆うとともに、そのスリーブ本体からその長手方向の外方へ少し突出した電気絶縁材料からなる筒状の絶縁カバーとにより構成されている（例えば、特開平１０−１２２９０号公報）。
【０００３】
このスリーブ本体は、電線の絶縁性の被覆を除去して現われた芯線を挿入できる開口部を両端側に有するチューブ状を呈し、それら開口部に電線の芯線を挿入した後、絶縁カバーの外側からスリーブ本体の外周を油圧シリンダーで駆動されるダイスを用いて圧縮すると、スリーブ本体の両側の電線の芯線が、スリーブ本体を介して物理的にも電気的にも接続される。
【０００４】
【発明が解決しようとする課題】
上述のように、従来の圧縮スリーブは、スリーブ本体を圧縮することにより、容易に電線を接続できるという特長を有しているが、電線の接続後に、雨水が侵入したり、あるいは、シリコングリース等のコンパウンドが漏出しないようにするために、スリーブ本体から外方へ突出した絶縁カバー内にガスケットを必要としたり、あるいは、このようなガスケットを設けないときは、圧縮スリーブと電線との間を絶縁カバーや絶縁テープで被覆しなければならなかった。このため、従来の圧縮スリーブは、ガスケットの部品が増えてコスト高になったり、電線挿入の際に圧縮スリーブ内の空気が抜けづらく、電線が圧縮スリーブ内の空気圧により押し戻されて挿入しづらいという欠点があった。また、このようなガスケットを設けないときは、被覆作業を必要とするので、作業性に劣る欠点があった。
【０００５】
そこで、本発明は、上記問題を解決するためになされたものであって、その目的は、安価に、しかも、簡単にコンパウンドの漏出と雨水の侵入とを効果的に防止することのできる圧縮スリーブを提供することにある。
【０００６】
【課題を解決するための手段】
本発明は、上記目的を達成するために、電線の被覆を除去して現れた芯線を長手方向両側から挿入される金属製スリーブ本体と、その金属製スリーブ本体の外周を覆う被覆部及びその被覆部から軸方向両側に延長された突出部を一体に有する筒状の絶縁カバーとからなり、前記絶縁カバーの外側から圧縮力を加えられて、前記両側の電線を接続する絶縁カバー被覆型圧縮スリーブにおいて、前記突出部を、前記被覆の外径よりも大きい内径を有し、その内周面に条溝を有し、前記電線の被覆が除去されていない部分を挿通され、圧縮スリーブを圧縮するダイスにより圧縮されて前記被覆電線の被覆と固着されるように構成したことを特徴としている。
前記条溝は、螺旋状に形成されていることを特徴としている。
そして、前記突出部の内周は、スリーブ本体側よりも外側の方が内径が大きいラッパ状に形成されていることを特徴としている。
【０００７】
【発明の実施の形態】
以下、本発明の実施の形態を図面に基づいて説明する。図１は一実施の形態に係る圧縮スリーブ１を長手方向の上半分を断面して示し、かつ、左側の端部を省略した正面図である。
【０００８】
スリーブ本体２は、従来のスリーブ本体と同様に、銅製あるいはアルミニウム製等の電気導体の金属製からなる所定の長さを有するパイプから構成されている。そして、このスリーブ本体２の両端側には、電線Ｌの電気絶縁性の被覆Ｌ′を除去して現われた芯線Ｌ″が挿入される開口部２ａ，２ｂ（左側の開口部２ｂは、図１で省略されている。なお、開口部２ｂ側は、開口部２ａ側と同一構成なので、以下、開口部２ａ側のみで説明する。）がそれぞれ設けられているとともに、スリーブ本体２のほぼ中央部には、挿入された芯線Ｌ″の位置決め用の突起２ｃが設けられている。なお、図１では、スリーブ本体２の左側から挿入される電線Ｌは省略されている。
【０００９】
絶縁カバー３は、スリーブ本体２の長手方向の外周全面を覆う筒状の被覆部３ａと、スリーブ本体２の開口部２ａ側からスリーブ本体２の長手方向の外側へ所定長さをもって延長されている筒状の突出部３ｂとを一体に有して構成されている。そして、この絶縁カバー３は、電気絶縁性を有するとともに、被覆部３ａの外側からスリーブ本体２を圧縮したときの力で破損しないように、その圧縮に十分に耐える材質で構成されている。このような材質としては、例えば、ポリエチレンやポリアセタール等の合成樹脂が使用できる。
【００１０】
突出部３ｂの外径は、被覆部３ａと等しく、その突出部３ｂの内径は、電線被覆の外径よりも少し大きく形成されている。したがって、スリーブ本体２に電線Ｌを挿入する場合には、スリーブ本体２内の空気がスムーズに抜けて、電線Ｌの挿入が容易になる。
【００１１】
前記突出部３ｂの内壁３ｂ′は、軸方向にストレートでもよいが、電線Ｌの芯線Ｌ″の挿入を容易にするために、内径がスリーブ本体２側よりも外側の方が大きいラッパ状に形成されている。このように、ラッパ状に形成した場合には、芯線Ｌ″が図１の二点鎖線の矢印方向からスリーブ本体２に挿入されるときに案内作用をするので、スリーブ本体２の開口部２ａへ芯線Ｌ″を挿入する作業を活線工具やロボットのマニピュレータで行うときに特に有効である。
【００１２】
図１中、４は条溝であって、突出部３ｂの内壁３ｂ′に螺旋状に設けられている。この条溝４は、螺旋状でなく、独立した複数のリング状の条溝とすることもできる。しかし、図示のように螺旋状に形成したときは、絶縁カバー３を射出成形により製造するときに容易に形成することができる特長がある。
【００１３】
図１中、点で示されるＳは、圧縮スリーブ１を用いて電線Ｌを挿入する際に塗布されるシリコングリースである。このシリコングリースＳは、スリーブ本体２内への芯線Ｌ″の挿入を容易にするとともに、後述の図２に示されるように、圧縮されたのちの水密状態を良好に保つことが可能となり、スリーブ本体２内への雨水の侵入を効果的に防止するとともに、端部の電気絶縁性の確保が可能となる。
【００１４】
上記構成の圧縮スリーブ１で電線Ｌ同士を接続するには、先ず、電線Ｌの芯線Ｌ″が突出部３ｂを介してスリーブ本体１内に挿入される。そして、芯線Ｌ″がスリーブ本体２に挿入された後、図示しない油圧シリンダで駆動されるダイスを用いて圧縮される。この圧縮は、絶縁カバー３の被覆部３ａ及び突出部３ｂの外側から行われる。したがって、被覆部３ａとスリーブ本体２、スリーブ本体２と芯線Ｌ″、及び、突出部３ｂと被覆Ｌ′は、図２に示されるように、ダイスが圧縮した部分がそれぞれ屈曲した状態となって、スリーブ本体２と芯線Ｌ″、及び、突出部３ｂと被覆Ｌ′がそれぞれ固着される。
【００１５】
上述の圧縮の後、突出部３ｂの条溝４内のシリコングリースＳは、そのまま条溝４内に保持される。したがって、電線Ｌの被覆Ｌ′と突出部３ｂの内壁３ｂ′との間に雨水の侵入するのを効果的に防止することができる。また、シリコングリースＳは、条溝４内に保持されるので外部へ漏出するのを効果的に防止することができる。
【００１６】
【発明の効果】
本発明は、電線の被覆を除去して現れた芯線を長手方向両側から挿入される金属製スリーブ本体と、その金属製スリーブ本体の外周を覆う被覆部及びその被覆部から軸方向両側に延長された突出部とを一体に有する筒状の絶縁カバーとからなり、前記絶縁カバーの外側から圧縮力を加えられて、前記両側の電線を接続する絶縁カバー被覆型圧縮スリーブにおいて、前記突出部を、前記被覆の外径よりも大きい内径を有し、その内周面に条溝を有し、前記電線の被覆が除去されていない部分を挿通され、圧縮スリーブを圧縮するダイスにより圧縮されて前記電線の被覆と固着されるように構成した。従って、圧縮スリーブを圧縮する前は、電線の被覆の外径よりも突出部の内径の方が大きいため、電線を容易に挿入することができる。また、突出部の内周面に条溝を有するので、突出部を圧縮した後は、突出部と電線が密着することにより、シリコングリース等を保持できる密閉空間が形成され、シリコングリース等の外部への漏出を効果的に防止することができる。そして、ガスケット等を設けることなく、安価に、しかも、簡単にスリーブ本体内への雨水の侵入を効果的に防止することができる。また、スリーブ端部の電気絶縁性を確保することができる。
また、条溝を螺旋状に形成したときは、条溝を容易に形成することができる。
【図面の簡単な説明】
【図１】  本発明の一実施の形態に係る圧縮スリーブの長手方向の半分を断面で示し、かつ、左側を省略した正面図である。
【図２】  圧縮後の状態を示す参考図である。
【符号の説明】
１  絶縁カバー被覆型圧縮スリーブ（圧縮スリーブ）
２  圧縮スリーブ本体（スリーブ本体）
３  絶縁カバー
３ａ  被覆部
３ｂ  突出部
３ｂ′  内壁
４  条溝
Ｌ  被覆電線（電線）
Ｌ′  被覆
Ｌ″  芯線
【図１】
0004265706.tif 000002
【図２】
0004265706.tif 000003